(57)【要約】      （修正有）【課題】書籍など重量物を掲載する棚において、木製ダボの留め金が破損したり、棚板が曲がったり、外れたりすることを防ぎ、簡単な構成でありながら、確実に支柱に取り付けることができる組立式棚様家具を提供する。【解決手段】重量物積載可能組立式棚様家具は、厚さ２５ｍｍ〜４０ｍｍ、奥行き３００〜４５０ｍｍ、長さ６００〜１７００ｍｍの平板で、平板の両端の２箇所に埋め込み式樹脂製嵌め込み接続具を取り付けた平板を使用した木製平面状棚板１３、又は木製箱体と、両端部２箇所にフック掛け穴部を所定間隔で連続的に並設されている樹脂板９を埋め込んだ２枚の側板支柱２と、埋め込み式嵌め込み接続具と接合できるコの字状フックと嵌め込み部の付いた金属製固定金具とからなる。【選択図】図１
0003198360.tif 000002
【実用新案登録請求の範囲】
【請求項１】
厚さ２５〜４０ｍｍ、奥行き３００〜４５０ｍｍ、長さ６００〜１７００ｍｍの平板で、当該平板の両端の４箇所に埋め込み式嵌め込み接続具を取り付けた平板を使用した木製平面状棚板、又は木製箱体と、両端部２箇所にフック掛け穴部を所定間隔で連続的に並設されている樹脂板を埋め込んだ２枚の側板支柱と、埋め込み式嵌め込み接続具と接合できるコの字状フックと嵌め込み部の付いた金属製固定金具とからなっていることを特徴とする重量物積載可能組立式棚様家具。
【請求項２】
平板の両端の２箇所に埋め込み式嵌め込み接続具は、厚さ２５〜４０ｍｍ、奥行き３００〜４５０ｍｍ、長さ６００〜１２００ｍｍの平板の横隅と縦隅の位置に１５〜２５ｍｍ直径、深さ１０〜２０ｍｍの円形の掘り込み穴部に嵌め込められて、材質としてポリアミド樹脂、ポリアセタール樹脂、ポリカーボネート樹脂、ＡＢＳ樹脂、ポリオレフィン樹脂から選ばれた樹脂製、又はアルミニウム、スチール、真鍮の金属製、または木製であって、形状として本体部を１３〜２３ｍｍ直径、高さ１３〜１８ｍｍの円筒状で、内部に３〜５ｍｍの幅、８〜１６ｍｍ長さで長方体状空洞部にして、板面から出る平板固定部を円筒本体部の上面に厚さ１〜２ｍｍｍで、２０〜３０ｍｍの略半円形、正方形の形状体にして、その中心部にコの字状フックと嵌め込み部の付いた金属製固定金具を挿入・接合できる円筒部空洞に通じる切り抜き部を設けたものであることを特徴とする請求項１に記載の重量物積載可能組立式棚様家具。
【請求項３】
コの字状フックと嵌め込み部の付いた金属製固定金具は、厚さ２〜３ｍｍ、長さ４０〜５０ｍｍのスチール製角状棒になって、当該角状棒の一方側の先端部にコの字に曲げた部と３０〜４０ｍｍの間隔を置いて下方にもう一つコの字の曲げ部の二個のコの字状フックを持ち、他方側に１０〜３０ｍｍの大きさのＬ字状部の嵌め込み形状になって、二個のコの字状フックにおいて側板支柱に掛け、Ｌ字状の嵌め込み部において棚板を固定接合させていることを特徴とする請求項１、又は請求項２に記載の重量物積載可能組立式棚様家具。
【請求項４】
棚板、又は箱体を取り付ける側板支柱は、厚さ３０〜４０ｍｍ、横幅２００〜６００ｍｍ、高さ１０００〜３０００ｍｍの無垢材と、合板材から選ばれた木製平板に、前記側板の両端部２箇所に横幅１５〜４０ｍｍの位置に  幅３〜７０ｍｍ、長さ８００〜２８００ｍｍの樹脂板に１０〜２０ｍｍの間隔で４〜７ｍｍの幅、長さ８〜１５ｍｍ長さの長穴を開けたフック掛け穴部を連続的に持っている樹脂板を埋め込んでいることを特徴とする請求項１〜請求項３のいずれかに記載の重量物積載可能組立式棚様家具。
【請求項５】
重量物積載可能組立式棚様家具に使用される棚部は、厚さ２５〜４０ｍｍ、奥行き２００〜６００ｍｍ、長さ６００〜１７００ｍｍの平板を使用した木製平面状棚板、又は前記平板を底部にした高さ１００〜９００ｍｍの箱状の木製箱体であって、材料として木材の無垢材とＭＤＦ板材とフラッシュパネル板材とであることを特徴とする請求項１〜請求項４のいずれかに記載の重量物積載可能組立式棚様家具。
【考案の詳細な説明】
【技術分野】
【０００１】本考案は、商品陳列用や家庭用等で使用される、少ない部材で構成して、分解・組み立てが容易な重量ある物品を積載可能である棚板、又は箱体を有する重量物積載可能組立式棚様家具に関するものである。
【背景技術】
【０００２】少ない部材を使用しての組立式棚様家具ついては、間隙を空けて立設した二本の支柱を使って棚を取り付ける構成が知られており、多くの公知技術においては、外観上目視できる支柱の正面或いは側面に、取り付け用の穴が上下方向に複数配置されている。【０００３】ユニット棚の取り付け構造においては、支柱の正面及び側面の夫々に形成された取り付け用の穴を使う技術が開示されており、先ず、支柱の正面を利用する構成としては、従来技術として、二本の支柱の夫々の正面側に上下方向に多数の係合穴を設け、その係合穴に対して夫々ガイドアームの一端を差し込んで係合させ、その二本のガイドアーム上に棚板を載せて保持する構成が開示されている（特許文献１参照）。【０００４】また、側面を利用する構成としては、二本の支柱の夫々の外側の側面に上下方向に多数のだぼ穴を形成し、そのだぼ穴に対して夫々だぼを取り付けた状態とし、これらの二つのだぼに対して、棚板の後ろ側に立設されているガイド壁の裏面に設けた二つのＬ字状アームを引っ掛け、さらに、ガイド壁裏面を２本の支柱の正面側に当接させて取付ける棚板取り付け構造が開示されている。【０００５】一方、外観上目視できない支柱の背面に取り付け用の穴を上下方向に配置する技術としては、少ない部材の構成とはならないが、特許文献が公知となっている（特許文献２参照）。また棚を支柱の正面側に設置するのではなく、支柱の背面側に設置するものであって、取り付け用スリット孔は支柱の背面で内側面寄りに若干振った位置に多数設けられており、ここに上部に突起が形成されたブラケットが装着可能となっている報告もある（特許文献２参照）。【０００６】また、二つの支柱には複数のブラケットが左右一対の状態で取り付けて使用できるが、そのうち上端部ブラケットの一対、並びに、下端部ブラケットの一対は、平板状の後面板にトラス小ねじにて固着され、その状態で、それぞれのブラケット上に、そこに設けられた突起に嵌合する孔を設けた棚板が取り付けられる構成となっている。【０００７】壁面に収納棚を作成するための治具であって、壁面に沿って固定される垂直部と該垂直部に対して所定角度で傾斜する傾斜部とからなる縦断面略レ字状のレールと、２つの側板とこれら側板を繋ぐ前板とからなる断面略コ字状の部材であって、側板には長手方向上方に傾斜部に対して着脱自在に嵌入される傾斜切込部と傾斜切込部の上方部に垂直部の厚さの分だけ切り欠かれた切欠部が設けられ、前板には壁面に対するビス止め用の穴と長手方向に沿って所定間隔で列設されてなる孔部を有する柱材と、一端に孔部に着脱自在に係止可能な係止部と上面に突起部を有し、壁面に対して垂直となる棚板支持体と、突起部と嵌合する穴を下面に有する棚板とからなるものが提案されている（特許文献３参照）。【０００８】またレールの作成に工数がかからず、柱材をレールに容易に嵌入でき、棚板とパイプとの間の無駄なスペースや柱材をレールの最端部に設置することができない場合に生じる左右一対の柱材間の外側のデッドスペースが生じず、レールのビス止め穴と壁面裏の下地材が合致し易い安定性のある壁面収納治具を提供することが提案されている（特許文献４参照）。【０００９】また所定間隔を空けて立設した二本の支柱と、該支柱に取り付ける複数の棚板ユニットとからなる組立式棚装置であって、上記二本の支柱には、背面に、夫々長手方向に沿って複数の棚板取り付け穴が同じ位置となるように設けられ、上記支柱に挿入し、上記二本の支柱に形成された夫々の棚板取り付け穴に対して上記一対の棚受部材を取り付けた状態で、この棚受部材の水平面の上面に棚板を固定することによって組み立てられ、上記棚受部材に形成された長穴部の下端、或いは長穴部の下端を形成する状態となった棚板の後端面を当接させる方法も提案されている（特許文献５参照）。【００１０】さらに絵画や壁掛け時計、壁掛けテレビ等のディスプレイや仏壇等を壁に取り付けるためには、壁面を傷つけることとなり、また、地震等の際には、これらの転倒・落下の恐れがあり、床面に平行な底板と床面に垂直な背板支持板からなるＬ型基板と、背板で壁面ラックを構成し、背板支持板および背板に背板高さ調整固定手段を設けて部屋の天井高さに応じて背板高さを調整できるようにし、背板には被支持体固定用のスリットを設け、背板上部に突っ張り金具を設けて転倒を防止できるようにしたことが提案されている（特許文献６参照）。【００１１】壁面には固定ネジ、又は固定釘を付ける必要がない、重量物の積載でも可能である、床から天井にかけて二枚の板状の支柱体に対して、特殊な金具を取り付けられている棚板、箱体などを簡単に嵌め込むことができる組立式棚方式装置を提供して、美感的に問題ない組立式棚様家具は存在しない。
【先行技術文献】
【特許文献】
【００１２】
【特許文献１】実公平７−７７９０号公報
【特許文献２】実公平７−４６１８９号公報
【特許文献３】特開２００４−２３６７５１号公報
【特許文献４】特開２００７−１０５２７３号公報
【特許文献５】特開２０１０−１７９０３２号公報
【特許文献６】特開２０１１−２１８０３８号公報
【考案の概要】
【考案が解決しようとする課題】
【００１３】商品陳列用や家庭用等で使用される、少ない部材で構成することのできる組立式棚家具装置は、支柱の正面側に棚板を取り付ける技術、並びに、支柱の側面に棚板を取り付ける技術においては、陳列台用や家庭用等として使用する場合には外観上の美観を損ねるという不都合を備えており、さらにこれらの付け用の穴は棚板の載置側、即ち、物品を収納したり、陳列する側に形成されていることになるため、物品の収納や陳列の作業者、並びに、その状態を見る閲覧者の手、指、服、或いは他の物品等が引っかかりやすいという不具合も生じやすい状態となっていた。【００１４】また、組立式棚様家具において棚板を支柱の背面側に設置する構成であるため、支柱が邪魔になって、物品の収納や陳列がしにくく、重量的収納物の積載や陳列物自体の状態も見にくくなる。また、棚板を載置するための上端部ブラケットの一対、並びに、下端部ブラケットの一対は、平板状の後面板を取り付ける構成となっているため組立て作業がしにくい、しかも装置自体が複雑で大型化する構成となる不都合が生じている。【００１５】そこで、本考案は、壁面には固定ネジ、又は固定釘を付ける必要がなく、支柱体に対して重量物積載可能な棚板を簡単に取りつけることができる組立式棚装置で、美感的に問題ない棚が要望されている。これらの従来技術の不都合を解消すべく、正面や側面から棚板取り付け穴が見えない形態でありながら支柱の前方に棚板が載置できるという陳列効果に優れ、しかも、重量的な積載物、あるいは箱体を設置して簡単な構成でありながら、天井に簡単に固定ネジ、又は固定釘なしにセットできて、天井から床にかけて支柱体に対しても棚板を簡単に取りつけることができる組立式棚家具装置を提供することを課題とする。また特殊な板材を使用して、精神的な癒しをもたらす無垢材料についても使用することが期待されている。
【課題を解決するための手段】
【００１６】厚さ２５〜４０ｍｍ、奥行き３００〜４５０ｍｍ、長さ６００〜１７００ｍｍの平板で、当該平板の両端の４箇所に埋め込み式嵌め込み接続具を取り付けた平板を使用した木製平面状棚板、又は木製箱体と、両端部２箇所にフック掛け穴部を所定間隔で連続的に並設されている樹脂板を埋め込んだ２枚の側板支柱と、埋め込み式嵌め込み接続具と接合できるコの字状フックと嵌め込み部の付いた金属製固定金具とからなっている重量物積載可能組立式棚様家具である。【００１７】平板の両端の２箇所に埋め込み式嵌め込み接続具は、厚さ２５〜４０ｍｍ、奥行き３００〜４５０ｍｍ、長さ６００〜１２００ｍｍの平板の横隅と縦隅の位置に１５〜２５ｍｍ直径、深さ１０〜２０ｍｍの円形の掘り込み穴部に嵌め込められて、材質としてポリアミド樹脂、ポリアセタール樹脂、ポリカーボネート樹脂、ＡＢＳ樹脂、ポリオレフィン樹脂から選ばれた樹脂製、又はアルミニウム、スチール、真鍮の金属製、または木製であって、形状として本体部を１３〜２３ｍｍ直径、高さ１３〜１８ｍｍの円筒状で、内部に３〜５ｍｍの幅、８〜１６ｍｍ長さで長方体状空洞部にして、板面から出る平板固定部を円筒本体部の上面に厚さ１〜２ｍｍｍで、２０〜３０ｍｍの略半円形、正方形の形状体にして、その中心部にコの字状フックと嵌め込み部の付いた金属製固定金具を挿入・接合できる円筒部空洞に通じる切り抜き部を設けたものである。【００１８】コの字状フックと嵌め込み部の付いた金属製固定金具は、厚さ２〜３ｍｍ、長さ４０〜５０ｍｍのスチール製角状棒になって、当該角状棒の一方側の先端部にコの字に曲げた部と３０〜４０ｍｍの間隔を置いて下方にもう一つコの字の曲げ部の二個のコの字状フックを持ち、他方側に１０〜３０ｍｍの大きさのＬ字状部の嵌め込み形状になって、二個のコの字状フックにおいて側板支柱に掛け、Ｌ字状の嵌め込み部において棚板を固定接合させている。【００１９】棚板、又は箱体を取り付ける側板支柱は、厚さ３０〜４０ｍｍ、横幅２００〜６００ｍｍ、高さ１０００〜３０００ｍｍの無垢材と、合板材から選ばれた木製平板に、前記側板の両端部２箇所に横幅１５〜４０ｍｍの位置に  幅３〜７０ｍｍ、長さ８００〜２８００ｍｍの樹脂板に１０〜２０ｍｍの間隔で４〜７ｍｍの幅、長さ８〜１５ｍｍ長さの長穴を開けたフック掛け穴部を連続的に持っている樹脂板を埋め込んでいる。【００２０】重量物積載可能組立式棚に使用される棚部は、厚さ２５〜４０ｍｍ、奥行き２００〜６００ｍｍ、長さ６００〜１７００ｍｍの平板を使用した木製平面状棚板、又は前記平板を底部にした高さ１００〜９００ｍｍの箱状の木製箱体であって、材料として木材の無垢材とＭＤＦ板材とフラッシュパネル板材とである。【００２１】また、棚部は、二本の側板支柱における所定位置の棚取り付け穴に取り付けられた後に、その所定位置の棚取り付け穴から取り外しが可能であり、他の位置の棚取り付け穴への取り付けも可能となるので、棚板の位置の取替えが簡単にできるようになり、利便性が向上する。【００２２】さらに、二本の側板支柱は、上下方向に長さを種々可能にしているとともに、その上端部及び下端部には、室内の角に形成される廻り縁や幅木と干渉しないで、���板支柱に取り付けられる棚受部材における設置空間が確保できるように形成すると、室内の壁際における床面と天井との間にコンパクトに取り付けることができる利点も生じる。
【考案の効果】
【００２３】本考案によれば、従来の多くの組立式棚様家具が、側面支柱の側面に棚板取り付け穴が露出して、まただダボなどを使用によって重量物を棚上に置くことができなかった。それらの問題点を解決することができ、しかも棚自体は支柱の正面内側に取り付けることができるので、美観に優れた組立式棚様に仕上げ、重量物の収納や陳列が行いやすくすることができた。また、家具自体に重量感を持たせた上で、構成自体で簡単なので、コンパクトで、しかも確実に安全に組み立てることができた。【００２４】板状組立式棚様は、正面から見て、重厚的な美観に優れており、特に重量物を入れる陳列棚用に用いると効果的である。材料を選ぶことによって、部屋自体に癒しをもたらすことができる。また、簡単に取り外し、組み立てができて、棚は支柱より前に設置されるので、重量物の物品が収納や確認がしやすいので、一般の重量物置物を設置できる収納棚としても使用できる。
【図面の簡単な説明】
【００２５】
【図１】本考案の重量物積載可能組立式棚様家具全体の斜視図を表わしたものである。
【図２】本考案の重量物積載可能組立式棚様家具の接合部品の各分解斜視図を表わした状態を示す。Ａ：埋め込み式嵌め込み接続具  Ｂ：固定金具（コの字状フック付金属製固定金具）  Ｃ：フック掛け穴部付き樹脂板
【図３】本考案の重量物積載可能組立式棚様家具の各接合具の組み立て斜視図を表わした状態を示す。
【図４】本考案の重量物積載可能組立式棚様家具をテレビボード、本箱として使用できる状態の図面を示す。
【図５】本考案における重量物積載可能組立式棚様家具の本棚として使用できる状態の図面を示す。
【図６】本考案における重量物積載可能組立式棚様家具の使用状態の斜視図を示す。
【考案を実施するための形態】
【００２６】本考案は、立設した二本の支柱の夫々の背面に、多数の棚板取り付け穴を形成し、その棚板取り付け穴に対して、複数の棚板ユニットを取り付けることを基本構成としたものとなっている。
【００２７】図１は、本考案の重量物積載可能組立式棚全体の斜視図を示したものである。図２は、重量物積載可能組立式棚様家具の接合部品の各分解斜視図を示した。図３は、重量物積載可能組立式棚様家具で、各接合具の組み立ての状態を示した。図４は、テレビボード、本箱として使用できる状態の図面を示した。図５は、本棚として使用できる状態の図面を示した。図６は重量物積載可能組立式棚様家具を具体的に使用した状態の斜視図を示した。
【実施例１】
【００２８】図１に示すように、厚さ３５ｍｍ、奥行き３５０ｍｍ、長さ１０００ｍｍの平板で、当棚板、及ぶ箱体、天板台の底面の平板の両端の４箇所に埋め込み式樹脂製嵌め込み接続具を取り付けた木製平面状棚板、又は木製箱体、又は木製天板台と、両端部２箇所にフック掛け穴部を所定間隔で連続的に所持している金属板を埋め込んだ樹脂板２枚の側板支柱を、コの字状フックと嵌め込み部の付いた金属製固定金具によって取り付けた。【００２９】図２、及び図３に示すように、図２Ａの平板の両端の２箇所に埋め込み式樹脂製嵌め込み接続具は、平板の横隅、と縦隅の位置に１９ｍｍ直径、深さ１５ｍｍの円形の穴部に嵌め込められて、材質としてポリアミド樹脂であって、形状として本体部を１８ｍｍ直径、高さ１５ｍｍの円筒状で、平板の底板の平面内部に３．５ｍｍの幅、１５ｍｍ長さで長方体状空洞部にして、板面から出る笠部を円筒本体部の上面に厚さ１．５ｍｍｍで、２１ｍｍの略半円形の形状体にして、その中心部に図２Ｂの金属製固定金具を挿入できる円筒部空洞に通じる切り抜きを設けた。【００３０】図３に示すように、図２Ｂのコの字状フックと嵌め込み部の付いた金属製固定金具は、厚さ２．５ｍｍ、長さ４５ｍｍのスチール製角状棒になって、当該角状棒の一方側の先端部にコの字に曲げた部と３０ｍｍの間隔を置いて下方にもう一つコの字の曲げ部の二個のコの字状フックを持ち、他方側に２４ｍｍの大きさのＬ字状部の嵌め込み形状になって、二個のコの字状フックにおいて側板支柱に掛け、Ｌ字状の嵌め込み部において側板支柱（フック掛け穴部を両面付き）と棚板を固定接合させた。【００３１】重量物積載可能組立式棚に使用される棚部は、厚さ３５ｍｍ、奥行き３５０ｍｍ、長さ７００ｍｍの平板を使用した木製平面状棚板、又は前記平板を底部にした高さ８００ｍｍの箱状の木製箱体であって、材料としてフラッシュパネル板材であった。【００３２】図３に示すように棚板を取り付ける側板支柱は、厚さ３５ｍｍ、横幅３５０ｍｍ、高さ２２００ｍｍの無垢材とパネル板材の木製平板に、前記側板の両端部２箇所に横幅２０ｍｍの位置に  幅８ｍｍ、長さ２２００ｍｍの樹脂製板（図２Ｃ）に１６ｍｍの間隔で４ｍｍの幅、長さ１２ｍｍ長さの長穴を開けたフック掛け穴部を連続的に持っている金属板を埋め込んだ。１段の棚板、１段の箱体の物入れを載せて、下部の天板台棚に４６インチのテレビを載せた。
図４に示すようなテレビなど重量物を積載した本箱付テレビボードとして製作した。長時間を経ても変化せず、安定に保持できた。
【実施例２】
【００３３】実施例１と同様に重量物積載可能組立式棚を製作した。材料と寸法を変更させた。図１に示すように、厚さ３５ｍｍ、奥行き３５０ｍｍ、長さ１０００ｍｍの平板で、当該平板の両端の４箇所に埋め込み式樹脂製嵌め込み接続具を取り付けた平板を使用した木製平面状棚板、又は木製箱体と、両端部２箇所にフック掛け穴部を所定間隔で連続的に所持している金属板を埋め込んだ２枚の側板支柱と、コの字状フックと嵌め込み部の付いた金属製固定金具にした。【００３４】図３に示すように、平板の両端の２箇所に埋め込み式樹脂製嵌め込み接続具は、平板の横隅、と縦隅の位置に１９ｍｍ直径、深さ１５ｍｍの円形の穴部に嵌め込められて、材質としてポリアミド樹脂であって、形状として本体部を１８ｍｍ直径、高さ１５ｍｍの円筒状で、内部に３．５ｍｍの幅、１５ｍｍ長さで長方体状空洞部にして、板面から出る笠部を円筒本体部の上面に厚さ１．５ｍｍｍで、２１ｍｍの略半円形の形状体にして、その中心部に金属製固定金具を挿入できる円筒部空洞に通じる切り抜きを設けた。【００３５】図３に示すように、コの字状フックと嵌め込み部の付いた金属製固定金具は、厚さ２．５ｍｍ、長さ４５ｍｍのスチール製角状棒になって、当該角状棒の一方側の先端部にコの字に曲げた部と３０ｍｍの間隔を置いて下方にもう一つコの字の曲げ部の二個のコの字状フックを持ち、他方側に２４ｍｍの大きさのＬ字状部の嵌め込み形状になって、二個のコの字状フックにおいて側板支柱に掛け、Ｌ字状の嵌め込み部において棚板を固定接合させた。【００３６】重量物積載可能組立式棚に使用される棚部は、厚さ３５ｍｍ、奥行き３５０ｍｍ、長さ７００ｍｍの平板を使用した木製平面状棚板、又は前記平板を底部にした高さ８００ｍｍの箱状の木製箱体であって、材料としてフラッシュパネル板材であった。【００３７】棚板、又は箱体を取り付ける側板支柱は、厚さ３５ｍｍ、横幅３５０ｍｍ、高さ２２００ｍｍの無垢材とパネル板材の木製平板に、前記側板の両端部２箇所に横幅１５〜３０ｍｍの位置に  幅８ｍｍ、長さ２２００ｍｍの樹脂製板に１６ｍｍの間隔で４ｍｍの幅、長さ１２ｍｍ長さの長穴を開けたフック掛け穴部を連続的に持っている金属板を埋め込んだ。
図６に示すような重量物積載可能組立式棚を製作して、６０ｋｇ近い書籍などを沢山置いてもたわみもなく、長時間を経ても変化せず、安定に保持できた。
【実施例３】
【００３８】図１における、実施例１と同様に、寸法大きさ、棚、箱状に変えて、テレビボードを製作した。棚板は厚さ３５ｍｍ、奥行き３５０ｍｍ、長さ１０００ｍｍの平板で、当該平板の両端の４箇所に埋め込み式樹脂製嵌め込み接続具を取り付けた平板を使用した木製平面状棚板、又は木製箱体と、両端部２箇所にフック掛け穴部を所定間隔で連続的に所持している金属板を埋め込んだ２枚の側板支柱と、コの字状フックと嵌め込み部の付いた金属製固定金具にした。【００３９】図３に示すように、平板の両端の２箇所に埋め込み式樹脂製嵌め込み接続具は、平板の横隅、と縦隅の位置に１９ｍｍ直径、深さ１５ｍｍの円形の穴部に嵌め込められて、材質としてポリアミド樹脂であって、形状として本体部を１８ｍｍ直径、高さ１５ｍｍの円筒状で、内部に３．５ｍｍの幅、１５ｍｍ長さで長方体状空洞部にして、板面から出る笠部を円筒本体部の上面に厚さ１．５ｍｍｍで、２１ｍｍの略半円形の形状体にして、その中心部に金属製固定金具を挿入できる円筒部空洞に通じる切り抜きを設けた。【００４０】図３に示すように、コの字状フックと嵌め込み部の付いた金属製固定金具は、厚さ２．５ｍｍ、長さ４５ｍｍのスチール製角状棒になって、当該角状棒の一方側の先端部にコの字に曲げた部と３０ｍｍの間隔を置いて下方にもう一つコの字の曲げ部の二個のコの字状フックを持ち、他方側に２４ｍｍの大きさのＬ字状部の嵌め込み形状になって、二個のコの字状フックにおいて側板支柱に掛け、Ｌ字状の嵌め込み部において棚板を固定接合させた。【００４１】重量物積載可能組立式棚に使用される棚部は、厚さ３５ｍｍ、奥行き３５０ｍｍ、長さ７００ｍｍの平板を使用した木製平面状棚板、又は前記平板を底部にした高さ８００ｍｍの箱状の木製箱体であって、材料としてフラッシュパネル板材であった。【００４２】棚板、又は箱体を取り付ける側板支柱は、厚さ３５ｍｍ、横幅３５０ｍｍ、高さ２２００ｍｍの無垢材とパネル板材の木製平板に、前記側板の両端部２箇所に横幅１５〜３０ｍｍの位置に  幅８ｍｍ、長さ２２００ｍｍの樹脂製板に１６ｍｍの間隔で４ｍｍの幅、長さ１２ｍｍ長さの長穴を開けたフック掛け穴部を連続的に持っている金属板を埋め込んだ。
図６に示すような重量物積載可能組立式棚を製作して、６０ｋｇ近い書籍などを沢山置いてもたわみもなく、長時間を経ても変化せず、安定に保持できた。
【符号の説明】
【００４３】Ｗ  壁面
Ｚ  天井
Ｆ  床面
２  側板支柱（フック掛け穴部を両面付き）
３  嵌め込み取り付け穴部
７  固定金具（コの字状フック付金属製固定金具）
８  埋め込み式嵌め込み接続具
９  フック掛け穴部付き樹脂板
１１  天井への支え部
１２  書籍
１３  棚板
１５  テレビ
２０  棚箱体
【図１】
0003198360.tif 000003
【図２】
0003198360.tif 000004
【図３】
0003198360.tif 000005
【図４】
0003198360.tif 000006
【図５】
0003198360.tif 000007
【図６】
0003198360.tif 000008
【手続補正書】
【提出日】平成27年4月6日(2015.4.6)
【手続補正１】
【補正対象書類名】実用新案登録請求の範囲
【補正対象項目名】全文
【補正方法】変更
【補正の内容】
【実用新案登録請求の範囲】
【請求項１】
厚さ２５〜４０ｍｍ、奥行き３００〜４５０ｍｍ、長さ６００〜１７００ｍｍの平板で、当該平板の両端の４箇所に埋め込み式嵌め込み接続具を取り付けた平板を使用した木製平面状棚板、又は木製箱体と、両端部２箇所にフック掛け穴部を所定間隔で連続的に並設されている樹脂板を埋め込んだ２枚の側板支柱と、フック掛け穴部に掛けることができるコの字状フックと、埋め込み式嵌め込み接続具に挿入できる嵌め込み部との付いた金属製固定具  とからなっていることを特徴とする重量物積載可能組立式棚様家具。
【請求項２】
平板の両端の２箇所に埋め込み式嵌め込み接続具は、厚さ２５〜４０ｍｍ、奥行き３００〜４５０ｍｍ、長さ６００〜１２００ｍｍの平板の横隅と縦隅の位置に１５〜２５ｍｍ直径、深さ１０〜２０ｍｍの円形の掘り込み穴部に嵌め込められて、材質としてポリアミド樹脂、ポリアセタール樹脂、ポリカーボネート樹脂、ＡＢＳ樹脂、ポリオレフィン樹脂から選ばれた樹脂製、又はアルミニウム、スチール、真鍮から選ばれた金属製、又は木製であって、形状として本体部を１３〜２３ｍｍ直径、高さ１３〜１８ｍｍの円筒状で、内部に３〜５ｍｍの幅、８〜１６ｍｍ長さで長方体状空洞部にして、板面から出る平板固定部を円筒本体部の上面に厚さ１〜２ｍｍで、略半円形、又は正方形の形状体にして、その中心部にコの字状フックと嵌め込み部の付いた金属製固定金具を挿入・接合できる円筒部空洞に通じる切り抜き部を設けたものであることを特徴とする請求項１に記載の重量物積載可能組立式棚様家具。
【請求項３】
コの字状フックと嵌め込み部の付いた金属製固定金具は、厚さ２〜３ｍｍ、長さ４０〜５０ｍｍのスチール製角状棒になって、当該角状棒の一方側の先端部にコの字に曲げた部と３０〜４０ｍｍの間隔を置いて下方にもう一つコの字の曲げ部の二個のコの字状フックを持ち、他方側に１０〜３０ｍｍの大きさのＬ字状部の嵌め込み形状になって、二個のコの字状フックにおいて側板支柱に掛け、Ｌ字状の嵌め込み部において棚板を固定接合させていることを特徴とする請求項１、又は請求項２に記載の重量物積載可能組立式棚様家具。
【請求項４】
棚板、又は箱体を取り付ける側板支柱は、厚さ３０〜４０ｍｍ、横幅２００〜６００ｍｍ、高さ１０００〜３０００ｍｍの無垢材と、合板材から選ばれた木製平板に、前記側板支柱の両端部２箇所に横幅１５〜４０ｍｍの位置に  幅３〜７０ｍｍ、長さ８００〜２８００ｍｍの樹脂板に１０〜２０ｍｍの間隔で４〜７ｍｍの幅、長さ８〜１５ｍｍ長さの長穴を開けたフック掛け穴部を連続的に持っている樹脂板を埋め込んでいることを特徴とする請求項１〜請求項３のいずれかに記載の重量物積載可能組立式棚様家具。
【請求項５】
重量物積載可能組立式棚様家具に使用される棚部は、厚さ２５〜４０ｍｍ、奥行き２００〜６００ｍｍ、長さ６００〜１７００ｍｍの平板を使用した木製平面状棚板、又は前記平板を底部にした高さ１００〜９００ｍｍの箱状の木製箱体であって、材料として木材の無垢材、又はＭＤＦ板材、又はフラッシュパネル板材とであることを特徴とする請求項１〜請求項４のいずれかに記載の重量物積載可能組立式棚様家具。